(57)【要約】      （修正有）【課題】土や泥を効果的に除去する洗浄ブラシを提供する。【解決手段】グリップ本体２に洗浄流体の導管３が接続され、洗浄流体を断続する操作装置４がグリップ本体２に取り付けられている形式のものであり、導管３の先端に噴射ノズル５が設けられているとともに、この噴射ノズル５の近傍にブラシ６が配置され、このブラシ６は少なくとも導管３とほぼ同方向に延びる一対の対向部を有し、この対向部の間に噴射ノズル５が開口している。【選択図】図１
2010253458.tif 000002
【特許請求の範囲】
【請求項１】
グリップ本体に洗浄流体の導管が接続され、洗浄流体を断続する操作装置がグリップ本体に取り付けられている形式のものにおいて、前記導管の先端に噴射ノズルが設けられているとともに、この噴射ノズルの近傍にブラシが配置され、このブラシは少なくとも前記導管とほぼ同方向に延びる一対の対向部を有し、この対向部の間に前記噴射ノズルが開口していることを特徴とする洗浄装置。
【請求項２】
前記一対の対向部の前端側を接続する接続部が設けられている請求項１記載の洗浄装置。
【請求項３】
前記ブラシは、着脱構造部を介して導管に着脱可能な状態で取り付けられている請求項１または請求項２記載の洗浄装置。
【請求項４】
前記ブラシは、長尺な結束金具で束ねられており、この結束金具が前記着脱構造部において導管に取り付けられている請求項３記載の洗浄装置。
【発明の詳細な説明】
【技術分野】
【０００１】  この発明は、水や空気のような洗浄流体を、靴やタイヤ等に吹き付けてブラシで擦りながら汚れを落とす洗浄装置に関している。
【背景技術】
【０００２】  特許第３５１３６９９号公報には、洗浄流体を断続する操作装置が設けられたグリップ本体に、洗浄流体の導管が接続され、この導管の先端に噴射ノズルが設けられ、この噴射ノズルの近傍にブラシが配置されていることが記載されている。
【先行技術文献】
【特許文献】
【０００３】
【特許文献１】特許第３５１３６９９号公報
【発明の概要】
【発明が解決しようとする課題】
【０００４】  上記特許文献に記載されている技術は、噴射ノズルから靴等の被洗浄物に噴射された洗浄液はブラシの前方に吹き付けられる。したがって、被洗浄物に当たった洗浄液は飛散してしまうため、洗浄液が潤沢に存在する箇所をブラシで擦ることができない。つまり、洗浄液が吹き付けられる箇所とブラシで擦る箇所が離隔しているので、汚れが落ちにくいという問題がある。【０００５】  本発明は、上記の問題点を解決するために提供されたもので、被洗浄物に洗浄流体が吹き付けられる箇所とブラシの箇所を近接させて、効果的な洗浄が行われる洗浄装置の提供を目的とする。
【課題を解決するための手段】
【０００６】  請求項１記載の発明は、グリップ本体に洗浄流体の導管が接続され、洗浄流体を断続する操作装置がグリップ本体に取り付けられている形式のものにおいて、前記導管の先端に噴射ノズルが設けられているとともに、この噴射ノズルの近傍にブラシが配置され、このブラシは少なくとも前記導管とほぼ同方向に延びる一対の対向部を有し、この対向部の間に前記噴射ノズルが開口していることを特徴とする洗浄装置である。
【発明の効果】
【０００７】  上記のように、前記ブラシは少なくとも前記導管とほぼ同方向に延びる一対の対向部を有し、この対向部の間に前記噴射ノズルが開口しているので、噴射ノズルから被洗浄物に吹き付けられた洗浄流体とブラシの対向部との距離が短くなる。これにより、洗浄流体が潤沢に吹き付けられている箇所をブラシで擦ることができ、土や泥などの汚れが効果的に洗い落とされる。つまり、洗浄流体で洗い流している箇所にブラシがけをするものであるから、乾燥して固まっている土や泥などは洗浄流体で十分に湿潤し、さらにブラシがけを受けるので、確実に汚れが除去できる。【０００８】  さらに、噴射ノズルは、前記導管とほぼ同方向に延びる一対の対向部の間に開口しているので、対向部の対向方向にブラシを擦りつけることにより、できるだけ多くの洗浄流体が対向部の間にとどまり、同時にその箇所がブラシがけを受けることとなる。したがって、潤沢な洗浄流体のもとで効果的な汚れの除去が可能となる。また、対向部を導管とほぼ同方向に擦りつけることにより、靴の縫い目のような箇所の汚れが、十分な洗浄流体が吹き付けられて確実に落ちるのである。【０００９】  請求項２記載の発明は、前記一対の対向部の前端側を接続する接続部が設けられている請求項１記載の洗浄装置である。【００１０】  このような構成により、洗浄流体は対向部と接続部によって包囲された箇所に供給されて、洗浄流体はこの包囲された箇所に十分に停滞しているので、洗浄流体による汚れの湿潤が十分に果たされ、さらにその箇所がブラシがけされて、確実な汚れ除去が実行される。また、接続部を配置することにより、真っ直ぐなブラシを湾曲させて例えばＵ字型に構成することができる。このようにすることにより、所定の形状のブラシを簡単に求めることができて、製作面や原価面で経済的である。【００１１】  請求項３記載の発明は、前記ブラシは、着脱構造部を介して導管に着脱可能な状態で取り付けられている請求項１または請求項２記載の洗浄装置である。【００１２】  こうすることにより、ブラシが損耗してきたときに着脱構造部によって交換することができる。【００１３】  請求項４記載の発明は、前記ブラシは、長尺な結束金具で束ねられており、この結束金具が前記着脱構造部において導管に取り付けられている請求項３記載の洗浄装置である。【００１４】  長尺な結束金具でブラシが束ねられているので、結束金具を所要の形状に変形させて、着脱構造部に適した形状とすることができる。例えば、Ｕ字型に湾曲することにより、開放側の端部に結合部材を配置して、簡単に着脱構造部を構成することができる。
【図面の簡単な説明】
【００１５】
【図１】洗浄装置の側面図である。
【図２】各部の断面図や斜視図である。
【図３】他の着脱構造部を示す断面図である。
【図４】ブラシの変形例を示す図である。
【発明を実施するための形態】
【００１６】  つぎに、本発明の洗浄装置を実施するための形態を説明する。
【実施例１】
【００１７】  図１〜図４は、実施例１を示す。【００１８】  洗浄装置の概略構造を説明する。【００１９】  図１は、洗浄装置１の側面図である。この洗浄装置１は、グリップ本体２に洗浄流体の導管３が接続され、洗浄流体を断続する操作装置４がグリップ本体２に取り付けられている。前記導管３の先端に噴射ノズル５が設けられているとともに、この噴射ノズル５の近傍にブラシ６が配置されている。前記操作装置４の箇所には洗浄流体の開閉弁（図示していない）が内蔵されており、この開閉弁を操作レバー７で開閉するようになっている。洗浄流体は、水、洗剤、噴射空気等であり、グリップ本体２の端部に液体供給パイプ８と空気供給パイプ９が接続されている。そして、噴射ノズル５の先端に噴口１１が開口している。噴口１１の開口箇所は、図１に示すように、線材１２の先端部から結束金具１３側に後退した箇所とされている。こうすることにより、噴射ノズル５の先端部が被洗浄物に接触することがないので、被洗浄物の表面に傷をつけたりすることが防止できる。【００２０】  洗浄装置１は、使い勝手をよくするために、各部の寸法は、グリップ本体２の長さが１２０ｍｍ、導管３の長さが２２０ｍｍ、噴射ノズル５の長さが５５ｍｍ、ブラシ６の長さが９０ｍｍ、ブラシ６の幅が４０ｍｍとされている。なお、ブラシ線材の先端部の幅は１０ｍｍ、後述の対向部の間隔は２０ｍｍである。また、噴射ノズル５はブラシ６の方へ屈曲させてあり、符号１０は屈曲部を示している。【００２１】  つぎに、ブラシについて説明する。【００２２】  ブラシ６は細くて固い線材１２を束ねて作ったもので、線材にはポリアミド樹脂やポリプロピレン樹脂のような合成樹脂が使用されている。多数の線材１２が、図２（Ａ）、（Ｂ）および（Ｅ）に示すように、長尺な断面コ字型の結束金具１３の中に挿入され、結束金具１３をかしめ付けて線材１２と結束金具１３が一体化されている。この例では、ブラシ６が図２（Ｂ）や（Ｅ）に示すように、Ｕ字型をしているので、真っ直ぐな結束金具１３をＵ字型に湾曲してある。【００２３】  ブラシ６は、直線状の部分が導管３とほぼ同方向に延びており、この部分が一対の対向部１４Ａ、１４Ｂを構成している。この対向部１４Ａ、１４Ｂの間隔寸法が前述の２０ｍｍである。Ｕ字型を形成するために、対向部１４Ａ、１４Ｂの前端側を、湾曲した接続部１５で接続している。【００２４】  屈曲部１０によって斜め向きになった噴射ノズル５は、その噴口１１が対向部１４Ａ、１４Ｂの間に開口している。【００２５】  つぎに、着脱構造部について説明する。【００２６】  着脱構造部１６は、ブラシ６を導管３または噴射ノズル５に対して着脱可能な状態で取り付けるものであり、種々な構造を採用することができる。図１の２Ａ−２Ａ断面が図２（Ａ）に示されている。細長いブロック状の部材で支持部材１８が構成され、そこにあけた通孔１９に導管３が貫通させてある。この通孔１９から延びた状態で切り割り２０が形成され、ここに固定ボルト２１がねじ込んである。固定ボルト２１を締め付けると、導管３の外周面が圧迫されて、導管３に支持部材１８が固定される。【００２７】  前記支持部材１８の端部に四角い座板２２が溶接され、その両側に��付け溝２３が設けてある。この取付け溝２３は座板２２の両側を直角に折り曲げて屈曲片２４を形成し、その内側に屈曲片２５を有する内板２６がスポット溶接で固定されている。こうすることにより、屈曲片２４と２５によって取付け溝２３が構成される。取付け溝２３は平行な状態で対向しており、その間隔寸法は対向部１４Ａ、１４Ｂの間隔寸法と同じである。そして、取付け溝２３の幅は、結束金具１３を圧入できるような寸法に設定してある。したがって、結束金具１３を取付け溝２３に押し込むことによって、ブラシ６が導管３に取付けられる。【００２８】  上述のように、着脱構造部１６は、支持部材１８、座板２２、取付け溝２３等によって構成されている。なお、通孔１９に噴射ノズル５を貫通させるようにしてもよい。【００２９】  着脱構造部１６の他の構造例を、説明する。【００３０】  この着脱構造部１６は図３に示されている。左右の結束金具１３に四角い結合座板２８が溶接され、この結合座板１８が固定ボルト２９によって支持部材１８の端部に固定されている。それ以外の構成は、図示されていない部分も含めて先の例と同じであり、同様な機能の部材には同一の符号が記載してある。【００３１】  つぎに、ブラシ６の変形例を説明する。【００３２】  図４（Ａ）に示したものは、対向部１４Ａ、１４Ｂだけで構成されたものである。また、同図（Ｂ）に示したものは、エンドレスな長円形の形状である。それ以外の構成は、図示されていない部分も含めて先の例と同じであり、同様な機能の部材には同一の符号が記載してある。【００３３】  上記実施構造の作用効果は、つぎのとおりである。【００３４】  上記のように、前記ブラシ６は少なくとも前記導管３とほぼ同方向に延びる一対の対向部１４Ａ、１４Ｂを有し、この対向部１４Ａ、１４Ｂの間に前記噴射ノズル５の噴口１１が開口しているので、噴射ノズル５から被洗浄物に供給された洗浄流体とブラシ６の対向部１４Ａ、１４Ｂとの距離が短くなる。これにより、洗浄流体が潤沢に供給されている箇所をブラシ６で擦ることができ、土や泥などの汚れが効果的に洗い落とされる。つまり、洗浄流体で洗い流している箇所にブラシがけをするものであるから、乾燥して固まっている土や泥などは洗浄流体で十分に湿潤し、さらにブラシがけを受けるので、確実に汚れが除去できる。【００３５】  さらに、噴射ノズル５は、前記導管３とほぼ同方向に延びる一対の対向部１４Ａ、１４Ｂの間に開口しているので、対向部１４Ａ、１４Ｂの対向方向にブラシを擦りつけることにより、できるだけ多くの洗浄流体が対向部１４Ａ、１４Ｂの間にとどまり、同時にその箇所がブラシがけを受けることとなる。換言すると、洗浄流体が対向部１４Ａ、１４Ｂの間で左右にかき寄せられた状態で汚れ落としが進行する。したがって、潤沢な洗浄流体のもとで効果的な汚れの除去が可能となる。また、対向部１４Ａ、１４Ｂを導管とほぼ同方向に擦りつけることにより、靴の縫い目のような箇所の汚れが、十分な洗浄流体が吹き付けられて確実に落ちるのである。【００３６】  前記一対の対向部１４Ａ、１４Ｂの前端側を接続する接続部１５が設けられている。【００３７】  このような構成により、洗浄流体は対向部１４Ａ、１４Ｂと接続部１５によって包囲された箇所に供給されて、洗浄流体はこの包囲された箇所に十分に停滞しているので、洗浄流体による汚れの湿潤が十分に果たされ、さらにその箇所がブラシがけされて、確実な汚れ除去が実行される。また、接続部１５を配置することにより、真っ直ぐなブラシを湾曲させてＵ字型に構成することができる。このようにすることにより、所定の形状のブラシを簡単に求めることができて、製作面や原価面で経済的である。【００３８】  前記ブラシ６は、着脱構造部１６を介して導管３に着脱可能な状態で取り付けられている。【００３９】  こうすることにより、ブラシ６の線材１２が損耗してきたときに、着脱構造部１６によってブラシ交換をすることができる。【００４０】  前記ブラシ６は、長尺な結束金具１３で束ねられており、この結束金具１３が前記着脱構造部１６において導管３に取り付けられている。【００４１】  長尺な結束金具１３でブラシ６が束ねられているので、結束金具６を所要の形状に変形させて、着脱構造部１６に適した形状とすることができる。例えば、Ｕ字型に湾曲することにより、開放側の端部に結合部材である座板２２や結合座板２８を配置して、簡単に着脱構造部１６を構成することができる。
【産業上の利用可能性】
【００４２】  上述のように、本発明の装置によれば、被洗浄物に洗浄流体が吹き付けられる箇所とブラシの箇所が近接させて、効果的な洗浄が行われる洗浄装置であるから、ゴルフ場や学校の靴洗い施設など広い分野で利用できる。
【符号の説明】
【００４３】  １    洗浄装置
２    グリップ本体
３    導管
４    操作装置
５    噴射ノズル
６    ブラシ
１１    噴口
１２    線材
１３    結束金具
１４Ａ、１４Ｂ    対向部
１５    接続部
１６    着脱構造部
２３    取付け溝
【図１】
2010253458.tif 000003
【図２】
2010253458.tif 000004
【図３】
2010253458.tif 000005
【図４】
2010253458.tif 000006